(57)【特許請求の範囲】
【請求項１】
漏液の吸収により透明状態になる白色の薄紙と、この薄紙を水平に載置し保持すると共に底面が反射板を形成し床面に配設される薄紙ホルダと、このホルダに挿入され底部が透明板又は半透明板で構成されたケースと、この透明板又は半透明板を介して前記薄紙に光を照射する光源手段と、前記ホルダ底面からの反射光を受光する受光手段と、この受光手段からの情報データに基づいて漏液を検知する検知手段とから漏液センサを構成し、前記光源手段及び受光手段を一体化して前記ケース内に納め、前記薄紙の一端に漏液が接触した場合、漏液が速やかに浸透し得るように前記ホルダとケースとの間に空隙部を設けるようにした漏液センサ、または、漏液の吸収により透明状態になる白色の薄紙と、この薄紙を水平に載置し保持すると共に底面が反射板を形成する薄紙ホルダと、このホルダに挿入され底部が透明板又は半透明板で構成されたケースと、光を照射する光源手段と、この光源からの照射光を前記ケースの透明板又は半透明板を介して前記薄紙に照射する第１の光伝送手段と、前記ホルダ底面からの反射光を受光して伝送する第２の光伝送手段と、前記第２の光伝送手段からの光を受光する受光手段と、この受光手段からの情報データに基づいて漏液を検知する検知手段とから漏液センサを構成し、前記第１の光伝送手段の一端及び前記第２の光伝送手段の一端で光学系路を形成するよう一体化して前記ケース内に納め、前記薄紙の一端に漏液が接触した場合、漏液が速やかに浸透し得るように前記ホルダとケースとの間に空隙部を設けるようにした漏液センサにおいて、前記薄紙の形状が円又は非円の形状であり、前記受光手段の検知する薄紙の反射領域に気泡が停留しないように前記薄紙の外縁部及び反射領域を除いた中間部に、前記反射領域に対し非対称な位置・形状で穴部を設け、漏液が一度に大量に溢れた場合にも前記薄紙の反射領域には気泡が残らないようにしたことを特徴とする漏液センサ。
【請求項２】
漏液の吸収により透明状態になる白色の薄紙と、この薄紙を水平に載置し保持すると共に底面が反射板を形成し床面に配設される薄紙ホルダと、このホルダに挿入され底部が透明板又は半透明板で構成されたケースと、この透明板又は半透明板を介して前記薄紙に光を照射する光源手段と、前記ホルダ底面からの反射光を受光する受光手段と、この受光手段からの情報データに基づいて漏液を検知する検知手段とから漏液センサを構成し、前記光源手段及び受光手段を一体化して前記ケース内に納め、前記薄紙の一端に漏液が接触した場合、漏液が速やかに浸透し得るように前記ホルダとケースとの間に空隙部を設けるようにした漏液センサ、または、漏液の吸収により透明状態になる白色の薄紙と、この薄紙を水平に載置し保持すると共に底面が反射板を形成する薄紙ホルダと、このホルダに挿入され底部が透明板又は半透明板で構成されたケースと、光を照射する光源手段と、この光源からの照射光を前記ケースの透明板又は半透明板を介して前記薄紙に照射する第１の光伝送手段と、前記ホルダ底面からの反射光を受光して伝送する第２の光伝送手段と、前記第２の光伝送手段からの光を受光する受光手段と、この受光手段からの情報データに基づいて漏液を検知する検知手段とから漏液センサを構成し、前記第１の光伝送手段の一端及び前記第２の光伝送手段の一端で光学系路を形成するよう一体化して前記ケース内に納め、前記薄紙の一端に漏液が接触した場合、漏液が速やかに浸透し得るように前記ホルダとケースとの間に空隙部を設けるようにした漏液センサにおいて、前記ホルダ底面及び／又は前記ケース底部の薄紙の反射領域の近傍に、それぞれ単独又は複数の凸部を設け、前記薄紙と前記底面及び／又は底部との相対距離をそれぞれ不均一にして、漏液が一度に大量に溢れた場合にも前記薄紙の反射領域には気泡が残らないようにしたことを特徴とする漏液センサ。
【請求項３】
漏液の吸収により透明状態になる白色の薄紙と、この薄紙を水平に載置し保持すると共に底面が反射板を形成し床面に配設される薄紙ホルダと、このホルダに挿入され底部が透明板又は半透明板で構成されたケースと、この透明板又は半透明板を介して前記薄紙に光を照射する光源手段と、前記ホルダ底面からの反射光を受光する受光手段と、この受光手段からの情報データに基づいて漏液を検知する検知手段とから漏液センサを構成し、前記光源手段及び受光手段を一体化して前記ケース内に納め、前記薄紙の一端に漏液が接触した場合、漏液が速やかに浸透し得るように前記ホルダとケースとの間に空隙部を設けるようにした漏液センサ、または、漏液の吸収により透明状態になる白色の薄紙と、この薄紙を水平に載置し保持すると共に底面が反射板を形成する薄紙ホルダと、このホルダに挿入され底部が透明板又は半透明板で構成されたケースと、光を照射する光源手段と、この光源からの照射光を前記ケースの透明板又は半透明板を介して前記薄紙に照射する第１の光伝送手段と、前記ホルダ底面からの反射光を受光して伝送する第２の光伝送手段と、前記第２の光伝送手段からの光を受光する受光手段と、この受光手段からの情報データに基づいて漏液を検知する検知手段とから漏液センサを構成し、前記第１の光伝送手段の一端及び前記第２の光伝送手段の一端で光学系路を形成するよう一体化して前記ケース内に納め、前記薄紙の一端に漏液が接触した場合、漏液が速やかに浸透し得るように前記ホルダとケースとの間に空隙部を設けるようにした漏液センサにおいて、前記ホルダ底面及び／又は前記ケース底部の薄紙の反射領域の近傍に、それぞれ透明及び／又は半透明の部材を局所的に介挿して段差を設け、漏液が一度に大量に溢れた場合にも前記薄紙の反射領域には気泡が残らないようにしたことを特徴とする漏液センサ。
【請求項４】
漏液の吸収により透明状態になる白色の薄紙と、この薄紙を水平に載置し保持すると共に底面が反射板を形成し床面に配設される薄紙ホルダと、このホルダに挿入され底部が透明板又は半透明板で構成されたケースと、この透明板又は半透明板を介して前記薄紙に光を照射する光源手段と、前記ホルダ底面からの反射光を受光する受光手段と、この受光手段からの情報データに基づいて漏液を検知する検知手段とから漏液センサを構成し、前記光源手段及び受光手段を一体化して前記ケース内に納め、前記薄紙の一端に漏液が接触した場合、漏液が速やかに浸透し得るように前記ホルダとケースとの間に空隙部を設けるようにした漏液センサ、または、漏液の吸収により透明状態になる白色の薄紙と、この薄紙を水平に載置し保持すると共に底面が反射板を形成する薄紙ホルダと、このホルダに挿入され底部が透明板又は半透明板で構成されたケースと、光を照射する光源手段と、この光源からの照射光を前記ケースの透明板又は半透明板を介して前記薄紙に照射する第１の光伝送手段と、前記ホルダ底面からの反射光を受光して伝送する第２の光伝送手段と、前記第２の光伝送手段からの光を受光する受光手段と、この受光手段からの情報データに基づいて漏液を検知する検知手段とから漏液センサを構成し、前記第１の光伝送手段の一端及び前記第２の光伝送手段の一端で光学系路を形成するよう一体化して前記ケース内に納め、前記薄紙の一端に漏液が接触した場合、漏液が速やかに浸透し得るように前記ホルダとケースとの間に空隙部を設けるようにした漏液センサにおいて、前記ホルダ底面と前記ケース底部とが平行となり気泡がケース底部に停留しないように微少傾斜角度の付いた溝部を設けるか又は前記ケース底部を傾けて前記ホルダに保持し、前記ケース底部から気泡を外部へ逃すようにしたことを特徴とする漏液センサ。
【請求項５】
漏液の吸収により透明状態になる白色の薄紙と、この薄紙を水平に載置し保持すると共に光源手段又は受光手段を内蔵し床面に配設される薄紙ホルダと、このホルダに挿入され底部が透明板又は半透明板で構成されたケースと、このケースに内蔵され前記透明板又は半透明板を介して前記ホルダからの透過光を受光する受光手段又は前記薄紙に光を照射する光源手段と、前記受光手段からの情報データに基づいて漏液を検知する検知手段とから漏液センサを構成し、前記薄紙の一端に漏液が接触した場合、漏液が速やかに浸透し得るように前記ホルダとケースとの間に空隙部を設けるようにした漏液センサ、または、漏液の吸収により透明状態になる白色の薄紙と、この薄紙を水平に載置し保持すると共に床面に配設される薄紙ホルダと、このホルダに挿入され底部が透明板又は半透明板で構成されたケースと、光を照射する光源手段と、この光源からの照射光を前記ホルダ又はケースに伝送する第１の伝送手段と、前記ホルダ又はケースに伝送された第１の光伝送手段の出力光を前記薄紙を介して透過光として受光して伝送する第２の光伝送手段と、この第２の光伝送手段からの光を受光する受光手段と、この受光手段からの情報データに基づいて漏液を検知する検知手段とから漏液センサを構成し、前記第１の光伝送手段の一端、前記薄紙及び前記第２の光伝送手段の一端で光学系路を形成するよう一体化して前記ケース内に納め、前記薄紙の一端に漏液が接触した場合、漏液が速やかに浸透し得るように前記ホルダとケースとの間に空隙部を設けるようにした漏液センサにおいて、前記薄紙の形状が円又は非円の形状であり、前記受光手段の検知する薄紙の透過領域に気泡が停留しないように前記薄紙の外縁部及び透過領域を除いた中間部に穴部を設け、漏液が一度に大量に溢れた場合にも前記薄紙の透過領域には気泡が残らないようにしたことを特徴とする漏液センサ。
【請求項６】
漏液の吸収により透明状態になる白色の薄紙と、この薄紙を水平に載置し保持すると共に光源手段又は受光手段を内蔵し床面に配設される薄紙ホルダと、このホルダに挿入され底部が透明板又は半透明板で構成されたケースと、このケースに内蔵され前記透明板又は半透明板を介して前記ホルダからの透過光を受光する受光手段又は前記薄紙に光を照射する光源手段と、前記受光手段からの情報データに基づいて漏液を検知する検知手段とから漏液センサを構成し、前記薄紙の一端に漏液が接触した場合、漏液が速やかに浸透し得るように前記ホルダとケースとの間に空隙部を設けるようにした漏液センサ、または、漏液の吸収により透明状態になる白色の薄紙と、この薄紙を水平に載置し保持すると共に床面に配設される薄紙ホルダと、このホルダに挿入され底部が透明板又は半透明板で構成されたケースと、光を照射する光源手段と、この光源からの照射光を前記ホルダ又はケースに伝送する第１の伝送手段と、前記ホルダ又はケースに伝送された第１の光伝送手段の出力光を前記薄紙を介して透過光として受光して伝送する第２の光伝送手段と、この第２の光伝送手段からの光を受光する受光手段と、この受光手段からの情報データに基づいて漏液を検知する検知手段とから漏液センサを構成し、前記第１の光伝送手段の一端、前記薄紙及び前記第２の光伝送手段の一端で光学系路を形成するよう一体化して前記ケース内に納め、前記薄紙の一端に漏液が接触した場合、漏液が速やかに浸透し得るように前記ホルダとケースとの間に空隙部を設けるようにした漏液センサににおいて、前記ホルダ底面及び／又は前記ケース底部の薄紙の透過領域の近傍に、それぞれ単独又は複数の凸部を設け、前記薄紙と前記底面及び／又は底部との相対距離をそれぞれ不均一にして、漏液が一度に大量に溢れた場合にも前記薄紙の透過領域には気泡が残らないようにしたことを特徴とする漏液センサ。
【請求項７】
漏液の吸収により透明状態になる白色の薄紙と、この薄紙を水平に載置し保持すると共に光源手段又は受光手段を内蔵し床面に配設される薄紙ホルダと、このホルダに挿入され底部が透明板又は半透明板で構成されたケースと、このケースに内蔵され前記透明板又は半透明板を介して前記ホルダからの透過光を受光する受光手段又は前記薄紙に光を照射する光源手段と、前記受光手段からの情報データに基づいて漏液を検知する検知手段とから漏液センサを構成し、前記薄紙の一端に漏液が接触した場合、漏液が速やかに浸透し得るように前記ホルダとケースとの間に空隙部を設けるようにした漏液センサ、または、漏液の吸収により透明状態になる白色の薄紙と、この薄紙を水平に載置し保持すると共に床面に配設される薄紙ホルダと、このホルダに挿入され底部が透明板又は半透明板で構成されたケースと、光を照射する光源手段と、この光源からの照射光を前記ホルダ又はケースに伝送する第１の伝送手段と、前記ホルダ又はケースに伝送された第１の光伝送手段の出力光を前記薄紙を介して透過光として受光して伝送する第２の光伝送手段と、この第２の光伝送手段からの光を受光する受光手段と、この受光手段からの情報データに基づいて漏液を検知する検知手段とから漏液センサを構成し、前記第１の光伝送手段の一端、前記薄紙及び前記第２の光伝送手段の一端で光学系路を形成するよう一体化して前記ケース内に納め、前記薄紙の一端に漏液が接触した場合、漏液が速やかに浸透し得るように前記ホルダとケースとの間に空隙部を設けるようにした漏液センサにおいて、前記ホルダ底面と前記ケース底部とが平行となり気泡がケース底部に停留しないように微少傾斜角度の付いた溝部を設けるか又は前記ケース底部を傾けて前記ホルダに保持し、前記ケース底部から気泡を外部へ逃がすようにしたことを特徴とする漏液センサ。
【請求項８】
前記光伝送手段が光ファイバーである請求項１乃至７のいずれか１項に記載の漏液センサ。
【発明の詳細な説明】
【０００１】
【発明の属する技術分野】
この発明は、水、酸性溶液、アルカリ溶液等の電気的導通を有する液体や、アルコール、シンナー、ベンジン等の有機性等の絶縁性を有する液体の漏液を確実に検知する漏液センサの改良に関する。
【０００２】
【従来の技術】
従来工場等の設備では配管により液体を供給している。しかし、配管には多くの個所に接続用の継手が設けられているため継手から液体が漏液する場合が多い。そこで、液体の種類によっては漏液の監視を人間が常時行なわなければならなかった。かかる従来の漏液監視方法としては導電方式や液量方式が知られている。又、特公平４-７０５７２号公報には漏液を吸収すると透明になるフイルタに光源より光を照射しておき、漏液があった時に上記フイルタからの透過光又は反射光の変化量を検知することにより漏液を確実に検知できるようにした漏液センサ技術が記載されている。
図１はかかる従来の反射方式の漏液センサ２０の原理を示す図であり、床面１に薄紙及びケースのホルダ４がその底面４ａを黒色に塗装され反射板を兼ねてネジ等の止め具６により固定され、その上に白色の薄紙（又は布、合成樹脂等でも良い）８が水平に載置されている。また、ホルダ４にはその底部１２ａが透明又は半透明な部材で構成されたケース１２が挿入され、ケース１２の内部には光源手段１４、受光手段１６及びコンパレータ等を含む検知手段１８が一体化して収容され、ケーブル２６を介して外部と接続されるようになっている。
尚、ケース１２は防塵、防水用のフタを兼ねているが、漏液２が薄紙８の中央の反射領域８ｂに浸透し易くし、かつ、漏液の検出時間を短縮するため、ケースの底部１２ａと薄紙８との間には空隙部１０が設けられている。この空隙はほこり、ちり等の汚れを避けると共に、外部のノイズ光を検知せず、安定的に薄紙８からの反射光を検出するため数ｍｍ以内が望ましい。また反射板４ａとケース１２とを着脱可能な構造のフイルタとした方が薄紙８の交換や設置作業等が容易なことが分った。更にまた、漏液の発生個所が一般的には特定できないことから、どの方向から浸透して来る漏液に対しても素早く応答するため、薄紙の形状は一般的には円形が好ましいことも分った。
このような構成において通常ＬＥＤや赤外レーザー発光素子、光ファイバー等の光源手段１４から光２２が照射され、薄紙８からの白色の反射光２４が受光手段１６により常時検出されている。しかして、床面１に漏液２が生じた場合、接触部９から漏液２が順次薄紙８の反射領域８ｂに浸透していき、薄紙８の接触部９は漏液の浸透により白色から透明色に変化する。しかるに、薄紙８の下側の反射板４ａは黒色であるので、薄紙８の色は接触部９では白色から黒色に変化し、受光手段１６への反射光２４は反射板４ａに吸収されて大幅に減少し、検知手段１８によりこの反射光量の変化を検出して漏液検知が行われる。
【０００３】
【発明が解決しようとする課題】
しかしながら上述した従来の光学式漏液センサに当初予期できなかった次のような問題点が発生した。（Ａ）床面１にホルダ底面４ａが水平であり、ケース底部１２ａもほぼ水平な状態で設置した状態で、高圧配管や大口径配管等が破損し、一度に大量の漏液が発生した場合、ケース１２の下部は全周がほぼ同時に漏液中に水没してしまう。かかる状態で漏液２が順次薄紙８の外縁部からその内側に向って浸透し始めると、ホルダ底面４ａとケース底部１２ａとの空隙部１０にあった気体は一部が泡となってケース１２の外側に排出されるが、空隙部１０の中央近傍にあった気体はその周囲を漏液で塞がれた状態となり、図１（Ｂ）に示すように、気泡が中央部であり、かつ、反射領域でもある８ｂに停留し、何時間たっても反射領域８ｂが透明にならず大量の漏液を検出できない現象が発生した。
（Ｂ）しかるにホルダ底面４ａが水平で平らなホルダ４は現在大量に使用中であるので、床面１に固定されたホルダ４を一つ一つ交換する作業は膨大な時間がかかり、ほとんど不可能である。
（Ｃ）また、薄紙８も消耗品であり、漏液検知毎に廃棄しているが、できれば従来の薄紙８もそのまま使用できる機会があるとよい。
よってこの発明は上述のような事情に鑑みて成されたものであり、この発明の目的は一度に大量の漏液が発生した場合にも気泡等の影響を受けることなく安定かつ確実に漏液を検出することの可能な漏液センサ及び漏液センサ用薄紙並びに漏液センサ用ホルダを提供することにある。
また、この発明の目的は、揮発性で引火性の爆発の危険のある液体に対しても、防爆に注意しつつ、かかる液体が一度に大量に発生しても、気泡等の影響を受けることなく遠隔地で安全かつ確実に漏液を検出することの可能な漏液センサ及び漏液センサ用薄紙並びに漏液センサ用ホルダを提供することにある。
【０００４】
【課題を解決するための手段】
この発明は、漏液の吸収により透明状態になる白色の薄紙と、この薄紙を水平に載置し保持すると共に底面が反射板を形成する薄紙ホルダと、このホルダに挿入され底部が透明板又は半透明板で構成されたケースと、この透明板又は半透明板を介して前記薄紙に光を照射する光源手段と、前記ホルダ底面からの反射光を受光する受光手段と、この受光手段からの情報データに基づいて漏液を検知する検知手段とから漏液センサを構成し、前記光源手段及び受光手段を一体化して前記ケース内に納め、前記薄紙の一端に漏液が接触した場合、漏液が速やかに浸透し得るように前記ホルダとケースとの間に空隙部を設けるようにした漏液センサに関し、この発明の上記目的は、前記薄紙の形状が円又は非円の形状の場合、前記受光手段の検知する薄紙の反射領域に気泡が停留しないように、前記薄紙の外縁部及び反射領域を除いた中間部に、前記反射領域に対し非対称な位置・形状で穴部を設け、漏液が一度に大量に溢れた場合にも前記薄紙の反射領域には気泡が残らないようにすることによって達成される。
【０００５】
【発明の実施の形態】
以下、図面に基づいて、この発明の好適な実施例に付いて詳細に説明する。図２（Ａ）はこの発明の反射式漏液センサ及び透過式漏液センサの両方で使用することが可能な漏液センサ用薄紙８であり、この例では円形状の薄紙８の外縁部８ｃ及び反射領域８ｂを除いた中間部に、反射領域８ｂに対し非対称な位置・形状で穴部８０を設けている。かかる薄紙を従来の薄紙と交換し、ホルダ４、ケース１２等は従来のものをそのまま使用すると（図２（Ｂ））、図２（Ｃ）に示すように、外縁部９ａ、９ｂに漏液が一部接触した場合には、中間に穴部８０が設けられたので、ルート９ａ〜９ｅ又は９ｂ〜９ｃを順次浸透して漏液が反射領域８ｂに到達し、従来より少し検出時間がかかるが反射領域８ｂが白色から透明色に変化するので、図１と同様の原理により反射光量２４の変化量を検知して漏液を検出することができる。また、図２（Ｃ）の外縁部９ｃ、９ｄ、９ｅに漏液の一部が接触した場合には従来とほぼ同一の検出時間で漏液を検出することができる。
しかして一度に大量の漏液２が床面１に溢れた場合には、従来は薄紙８に穴部がないので、外縁部からほぼ同一の浸透速度で漏液が浸透すると共に、薄紙等に吸収されていた気体が中央の反射領域に浸透圧により圧縮されながら集められ、気体の圧力と浸透する漏液の圧力とが釣り合った時点で気泡７が形成され、この気泡が反射領域８ｂに停留して漏液検出ができなかった。 一方、図２（Ａ）のように穴部８０を設けた薄紙８では外縁部から中央の反射領域８ｂまで漏液が浸透していくのに必要な時間が異なるので、薄紙等に吸収されていた気体は順次穴部８０に押し出され気泡７となり、確実に反射領域８ｂに漏液２を浸透させることができる。従って、反射領域８ｂが白色から透明色に変化し（図２（Ａ））、ホルダ４の黒色の底面４ｂにより照射光２２が吸収され、漏液２の検知ができることが実験により確認できた。尚、この現象は水以外にも塩酸や硫酸等の非常に粘性の高い液体に対しても有効であることが実験により確認できた。従って、既設の光学式漏液センサに対しては薄紙８を図２（Ａ）のような形状に変更したものに交換するだけで、一度に大量に発生する漏液の検出も確実に行なうことができるようになる。
【０００６】
次に、図２に対応させて示す図３はこの発明の別の一実施例であり、それぞれ同一の番号を付した装置は同一の機能を果たすと共に、図３（Ａ）に示すように穴部のない従来の薄紙８を使用し続ける場合には、例えば、図３（Ｂ）に示すようにホルダ４の底面４ａの反射領域を含む個所に凸部４ｂ〜４ｅを設け、図３（Ｃ）に示すようにこの上に薄紙８を水平に載置し、ケース１２の底部１２ａで挟着すると、薄紙８とホルダ底面４ａとの相対距離を不均一にでき、特に、凸部４ｂ〜４ｅと薄紙８との空隙は他の底面より狭くすることができる。かかる構成において、漏液２が薄紙８の外縁部の一部に接触すると、従来と同様に順次薄紙８の中を漏液２が浸透していき、中央の反射領域８ｂに到る。しかして、反射領域８ｂにはホルダ４の底面の凸部４ｂが接近して設けられているので、毛細管現象により凸部４ｂの周辺には速やかに漏液が浸透するようになっている。その結果、薄紙８ｂが白色から透明色に変化するので、反射光２４が大幅に減少し、その変化を受光手段１６及び検知手段１８で検出して外部に出力するようになっている。
また、漏液２が一度に大量に床面１に溢れた場合には、薄紙８の外縁部から中心部に向ってほぼ同一の浸透速度で漏液２が浸透していく。この浸透に伴って薄紙等に吸収されていた気体も中心部に向って移動していくが、図１（Ａ）と異なり、図３（Ｃ）のようにホルダ底面４ａには凸部４ｂが設けられているので、凸部４ｂの内側はその外側より液体の浸透圧が非常に高い状態に設定されている。従って、気泡７の大きさよりも十分に広い面積で凸部４ｂを設けておけば、漏液２は確実に凸部４ｂの外周部に到達することが可能となり、ひとたび漏液２が凸部４ｂの外周に浸透すると、凸部４ｂとケース底部１２ａとで挟着された薄紙８の部分には周囲より高い浸透圧が発生し、この浸透圧により反射領域８ｂに圧縮されつつあった気泡は直ちに図３（Ｃ）の気泡７ａや７ｂとなって凸部４ｂの外側に押し出される。この結果、反射領域８ｂの色は白色から透明色に変化し、上述と同様にして反射光２４の減少が検知され、外部に出力される。
又、図１及び図３に対応させて示す図４は、この発明のまた別の一実施例を示すものであり、それぞれ同一の番号を付した装置は同一の機能を果たすと共に、漏液検知部には電気配線をなくし、光ファイバー等の光伝送手段４４、４６により薄紙８への光の投受光を行なうようにしたため、液体２が揮発性で引火、爆発の危険がある場合でも極めて安全に反射光による漏液検知ができるようにしたもので、遠隔地に設けられた光源１４からの光は光伝送手段４４によりケース１２の底部１２ａまで導かれ光伝送手段４６を介して遠隔地に設けられた受光手段１６まで伝送され、その出力情報が検知手段１８で演算処理されて漏液の有無が判定されるようになっている。更に図４（Ａ）の例ではケース１２の底部１２ａの外側に反射領域８ｂに対応した領域を含んで凸部１２ｂや、１２ｃ〜１２ｅを設け、薄紙８とケース底部１２ａとの相対距離を不均一とし、穴部のない従来の薄紙８も使用できるような構造になっている。また、ホルダ４の底面４ａは図１（Ａ）に示すように平面でも良いし、図４（Ｂ）に示すように凸部４ｂ〜４ｄが設けられていても良い。そして、図４（Ａ）に示すようなケース１２を使用した場合にも、反射領域８ｂに対応した凸部１２ｂの面積を気泡７の面積よりも十分大きく配設しておけば、図３（Ｃ）と同様の原理により漏液２が薄紙８を介して確実に凸部１２ｂまで浸透することが可能となり、凸部１２ｂの内側はその外側よりも十分空隙部１０の間隔が狭く、液体の浸透圧が高くなるので、薄紙８の反射領域８ｂに含まれていた気体は全て凸部１２ｂの外側に押し出され、反射領域８ｂに気泡が停留することを防止することができる。
【０００７】
図１に対応して示す図５はこの発明のまた別の一実施例を示すものであり、それぞれ同一の番号を付した装置は同一の機能を果たすと共に、図５（Ａ）ではケース底部１２ａを２段の円錐状に削り、薄紙８の反射領域８ｂに挟着し水平面との傾斜がゆるやかな円錐頂部１２ｇと、空隙部１０内で発生した気泡を全てケース外部へ排出する円錐ガイド面１２ｈとから構成し、反射領域８ｂに対応した領域を含む円錐頂部１２ｇに気泡が停留しないようにしたものである。また、図５（Ｂ）はケース底部１２ａの反射領域８ｂを含む領域を円錐等の凸部１２ｊに加工すると共に、ケース１２の外周部から凸部１２ｊに向け気泡ガイドの溝１２ｋを穿設したもので、かかる構造のケース１２を用いると、円錐頂部１２ｇや凸部１２ｊでは一度に大量の漏水が溢れた場合、漏水２が薄紙８へ浸透していく圧力が他の場所よりも高まるので、反射領域８ｂに吸収されていた気体は全て円錐頂部１２ｇや凸部１２ｊの外へ排出され、大量の漏水も確実に検出することができる。
さらにまた、図１に対応して示す図６はこの発明のまた別の一実施例を示すものであり、それぞれ同一の番号を付した装置は同一の機能を果たすと共に、図６では薄紙８に透明又は半透明の部材として、例えば、両面テープ３０を貼付け、この状態でホルダ４の底面に貼着するようになっている。但し、接着剤等の液状の部材３０を使用すると、溶液に薄紙８が反応して透明となってしまうので、挟着する部材３０は固体形状が望ましい。かかる構成においても薄紙８の反射領域８ｂはその外側と比較すると部材３０が積層され空隙部が狭くなるので、漏液が溢れた場合この部分の浸透圧は薄紙８の他の領域よりも相対的に高くなり、気泡が反射領域８ｂの外側７ａや７ｂに押し出され、安定的に漏液が検出できることが実験により確認できた。
【０００８】
次に、図１及び図４に対応して示す図７及び図８はこの発明のまた別の一実施例を示すものであり、それぞれ同一の番号を付した装置は同一の機能を果たすと共に、両図ではそれぞれ薄紙８の透過光を検知して漏液を検出するようになっており図７では受光手段１６又は光源手段１４を床面１の内部に埋設し、透明板４２をその上に載置してホルダ４を構成し、更にその上に薄紙８を載置すると共に、ケース１２と床面に埋設された受光手段１６又は光源手段１４をコネクタ４０で接続するようになっている。また、図８では漏液検知部に電気配線をなくし、光ファイバー等の光伝送手段４４，４６により薄紙８への光の投受光を行なうようにしたもので、液体２が揮発性で引火、爆発の危険がある場合でも極めて安全に透過光による漏液検知ができるようになっており、遠隔地に設けられた光源１４からの光は光伝送手段４４によりケース１２の底部１２ａまで導かれ、薄紙８に光２２として投射され、その透過光がレンズ４８で収束された後、光伝送手段５０、光コネクタ５２及び光伝送手段４６を介して遠隔地に設けられた受光手段１６まで伝送され、その出力情報が検知手段１８で演算処理されて漏液の有無が判定されるようになっている。かかる構成の透過式漏液センサ２０ａ、２０ｂにおいても、従来は薄紙８をホルダ底面４ａに水平に載置すると共に、その上から光源手段１４又は受光手段１６等を内蔵したケース１２をホルダ４に挿入する構造となっていたので、ケース底部１２ａの薄紙８側はほぼ床面に平行な水平状態に設定され、図１（Ａ）の反射式漏液センサ２０と同様に一度に大量の漏液が床面１に溢れた場合、薄紙８の中央部８ｂに気泡が発生し、薄紙８ｂが透明色に変化せず何時間経過しても大量の漏液が検出できないという問題点が発生していた。しかしながら、図２（Ａ）のように薄紙８に穴部８０を設け、漏液２が薄紙８の透過領域８ｂに外周部からほぼ等しい浸透速度で集中して集まらないように浸透速度に時間差を設けることにより、従来透過領域８ｂに停留していた気泡７を穴部８０に漏液の発生する浸透圧で誘導し、透過領域８ｂを透明色に変化させることができることを本願発明者は発見した。また、上述の気泡７は図４（Ａ）に示すようなケース底部に設けた凸部１２ｂによっても透過領域８ｂの外側に移動させることができることが分った。
更にまた、図５（Ａ）、（Ｂ）に示すようにケース底部１２ａに気泡７を逃すための溝１２ｈ、１２ｋを設けても気泡７の透過領域８ｂへの停留を防止できることが分った。尚、図２（Ａ）乃至図５（Ｃ）に示す技術は複数の技術を組合わせて使用しても何ら問題のないことが分った。
【０００９】
【発明の効果】
以上説明したように、この発明の光学式漏液センサによれば、漏液センサに使用する薄紙８を図２（Ａ）のように穴部を設けた形状に変更したものに交換するだけで、従来の漏液検出能力は何ら低下させることなく、従来の漏液センサ用ホルダやケースをそのまま使用し続けることができると共に、一度に大量の漏液等が発生するというような当初想定しない大事故の場合や、引火かつ揮発性で爆発の危険のある液体に対しても、確実に漏液検出処理を実行することができる。また、ホルダ４やケース１２の交換や新設が可能な場合には、図３乃至図５に示す構造のホルダやケースを使用することにより、従来の穴部のない薄紙も使用し続けることができる。更に、図２（Ａ）のような薄紙と図３乃至図５に示す構造のホルダ及びケースを組合わせて使用すると、漏液検出が一番必要な大量の漏液流出事故といった現象が、正確かつ迅速に実行でき、大変有効である。
【図面の簡単な説明】
【図１】従来の光学式漏液センサの構造を示す図である。
【図２】この発明の漏液センサ用薄紙の構造および動作原理を示す図である。
【図３】この発明の漏液センサ用ホルダの構造の一例を示す図である。
【図４】この発明の防爆型反射式漏液センサ用ケースの構造の一例を示す図である。
【図５】この発明の漏液センサ用ケースの別の一例を示す図である。
【図６】この発明の又別の一例を示す図である。
【図７】この発明の透過式漏液センサの一例を示す図である。
【図８】この発明の防爆型透過式漏液センサの一例を示す図である。
【符号の説明】
１    床面
２、２ａ、２ｂ    漏液
４    ホルダ
７    気泡
８    薄紙
１０    空隙部
１２    ケース
１４    光源手段
１６    受光手段
１８    検知手段
４０    コネクタ
４４、４６    光伝送手段
８０    穴部
【図１】
0003756683.tif 000002
【図２】
0003756683.tif 000003
【図３】
0003756683.tif 000004
【図４】
0003756683.tif 000005
【図５】
0003756683.tif 000006
【図６】
0003756683.tif 000007
【図７】
0003756683.tif 000008
【図８】
0003756683.tif 000009